Podtech/llm-jp-corpus-v4-ja_patent huggingface dataset:
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
記録材が積載される積載部と、
前記積載部に積載された記録材を搬送路に給紙する給紙手段と、
前記給紙手段が前記積載部に積載された記録材に当接した第一の状態と、前記給紙手段が前記積載部に積載された記録材から離間した第二の状態を変更する変更手段と、
前記給紙手段により給紙された記録材を搬送する給紙ローラと、
前記変更手段を制御する制御手段と、
前記給紙手段により前記積載部に積載された最終の記録材が給送中であることを検知する第一の検知手段と、
を備え、
前記制御手段は、前記第一の検知手段が前記最終の記録材が給送中であることを検知した場合、前記最終の記録材が前記給紙ローラに挟持されている状態で前記変更手段を制御して前記第一の状態から前記第二の状態に変更することを特徴とする画像形成装置。
【請求項２】
前記変更手段は、前記第一の状態と前記第二の状態の間で、前記給紙手段を昇降させる駆動手段であることを特徴とする請求項１に記載の画像形成装置。
【請求項３】
前記変更手段は、前記給紙手段が前記第一の状態又は前記第二の状態となるように、前記積載部を昇降させる駆動手段であることを特徴とする請求項１に記載の画像形成装置。
【請求項４】
前記積載部に記録材が積載されていることを検知する第二の検知手段を備え、
前記第二の検知手段は、前記積載部の記録材の搬送方向で前記第一の検知手段よりも下流側に配置されていることを特徴とする請求項１乃至３のいずれか１項に画像形成装置。
【請求項５】
前記第二の検知手段は、前記最終の記録材の後端が通過すると前記積載部に記録材がないことを検知することを特徴とする請求項４に記載の画像形成装置。
【請求項６】
前記第一の検知手段は、前記第二の検知手段が記録材を検知していても前記最終の記録材が搬送中であることを検知することを特徴とする請求項４又は５に画像形成装置。
【請求項７】
前記給紙ローラは、前記第二の検知手段の記録材の搬送方向の下流側で、且つ、前記最終の記録材の後端が前記第二の検知手段を通過する前に、前記給紙ローラに挟持される位置に配置されることを特徴とする請求項４乃至６のいずれか１項に記載の画像形成装置。
【請求項８】
前記第一の検知手段は、前記最終の記録材に当接し前記最終の記録材が前記給紙手段により搬送されるのに伴い回転する回転部材を有し、
前記第一の検知手段は、前記回転部材が所定の角度を回転すると、前記最終の記録材が給送中であることを検知することを特徴とする請求項４乃至７のいずれか１項に記載の画像形成装置。
【請求項９】
前記回転部材は、光を透過する複数のスリットを有し、
前記第一の検知手段は、前記スリットを通過した光を所定のスリット分、検知すると、前記回転部材が所定の角度を回転したと検知することを特徴とする請求項８に記載の画像形成装置。
【請求項１０】
前記回転部材は、前記給紙手段が当接する前記最終の記録材の面とは反対側の面に当接することを特徴とする請求項８又は９に記載の画像形成装置。
【請求項１１】
前記制御手段は、前記第二の検知手段が前記積載部に記録材が積載されたことを検知すると、前記変更手段を制御して、前記第二の状態から前記第一の状態に変更することを特徴とする請求項４乃至１０のいずれか１項に記載の画像形成装置。
【手続補正２】
【補正対象書類名】明細書
【補正対象項目名】０００８
【補正方法】変更
【補正の内容】
【０００８】
（１）記録材が積載される積載部と、前記積載部に積載された記録材を搬送路に給紙する給紙手段と、前記給紙手段が前記積載部に積載された記録材に当接した第一の状態と、前記給紙手段が前記積載部に積載された記録材から離間した第二の状態を変更する変更手段と、前記給紙手段により給紙された記録材を搬送する給紙ローラと、前記変更手段を制御する制御手段と、前記給紙手段により前記積載部に積載された最終の記録材が給送中であることを検知する第一の検知手段と、を備え、前記制御手段は、前記第一の検知手段が前記最終の記録材が給送中であることを検知した場合、前記最終の記録材が前記給紙ローラに挟持されている状態で前記変更手段を制御して前記第一の状態から前記第二の状態に変更することを特徴とする画像形成装置。
【手続補正書】
【提出日】平成30年3月8日(2018.3.8)
【手続補正１】
【補正対象書類名】特許請求の範囲
【補正対象項目名】請求項７
【補正方法】変更
【補正の内容】
【請求項７】
前記疎水性モノマーが下記一般式（５）で表される化合物であることを特徴とする、請求項１〜６の何れか一項に記載のコポリマー。
一般式（５）
【化５】
2016210918.tif 000001
（５）
（一般式（５）中Ｒ１２，Ｒ１３は同一でも異なっていてもよく、環構造を含まない、分岐を有する、炭素数１８のアシル基を表す。）
【手続補正２】
【補正対象書類名】明細書
【補正対象項目名】００１５
【補正方法】変更
【補正の内容】
【００１５】
一般式（３）
【化３】
2016210918.tif 000002
（３）
（一般式（３）中Ｒ７は水素原子または炭素数１〜３のアルキル基を表し、Ｒ８，Ｒ９は同一でも異なっていてもよく、環構造を含まない、分岐を有する、炭素数１０〜２２のアシル基、または、環構造を含まない、２つ以上の分岐を有する炭素数６〜９のアシル基を表す。Ｙは三価のアルコールからＯＨ基が脱離した基を表す。）
【手続補正３】
【補正対象書類名】明細書
【補正対象項目名】００２２
【補正方法】変更
【補正の内容】
【００２２】
一般式（５）
【化５】
2016210918.tif 000003
（５）
（一般式（５）中Ｒ１２，Ｒ１３は同一でも異なっていてもよく、環構造を含まない、分岐を有する、炭素数１８のアシル基を表す。）
【手続補正４】
【補正対象書類名】明細書
【補正対象項目名】００４３
【補正方法】変更
【補正の内容】
【００４３】
一般式（５）
【化９】
2016210918.tif 000004
（５）
（一般式（５）中Ｒ１２，Ｒ１３は同一でも異なっていてもよく、環構造を含まない、分岐を有する、炭素数１８のアシル基を表す。）
【手続補正書】
【提出日】平成30年1月16日(2018.1.16)
【手続補正１】
【補正対象書類名】明細書
【補正対象項目名】発明の名称
【補正方法】変更
【補正の内容】
【発明の名称】電極および蓄電装置
【手続補正２】
【補正対象書類名】特許請求の範囲
【補正対象項目名】全文
【補正方法】変更
【補正の内容】
【特許請求の範囲】
【請求項１】
集電体と、
前記集電体上に接する活物質と、
前記活物質上に接する領域を有する第１のバインダーおよび第２のバインダーと、を有する電極であって、
前記活物質の比表面積をＳ［ｍ２／ｇ］とし、
前記活物質の重量、前記第１のバインダーの重量、および、前記第２のバインダーの重量をそれぞれａ、ｂおよびｃとし、
下記数式で定義されるＡが０．３以上であることを特徴とする電極。
【数１】
2015159107.tif 000001
【請求項２】
集電体と、
前記集電体上に接する活物質と、
前記活物質上に接する領域を有する第１の膜と、
前記活物質と前記第１の膜とを覆う第１の部分および前記活物質上に接する第２の部分とを有する第２の膜と、を有する電極であって、
前記第１の膜は、第１のバインダーおよび第２のバインダーを有し、
前記第２の膜は、リチウム、フッ素、酸素及びカーボンを有し、
前記第２の膜の前記第１の部分の膜厚は、前記第２の膜の前記第２の部分の膜厚よりも薄く、
前記活物質の比表面積をＳ［ｍ２／ｇ］とし、
前記活物質の重量、前記第１のバインダーの重量、および、前記第２のバインダーの重量をそれぞれａ、ｂおよびｃとし、
下記数式で定義されるＡが０．３以上であることを特徴とする電極。
【数２】
2015159107.tif 000002
【請求項３】
請求項１及び請求項２のいずれか一項において、
前記活物質は、粒子状の形状を有し、
前記活物質の比表面積Ｓは０．２ｍ２／ｇ以上７．０ｍ２／ｇ以下であることを特徴とする電極。
【請求項４】
請求項１乃至請求項３のいずれか一項において、
前記第１のバインダーは、カルボキシメチルセルロース、メチルセルロース、エチルセルロース、ヒドロキシプロピルセルロース、または、ジアセチルセルロースを有することを特徴とする電極。
【請求項５】
請求項１乃至請求項４のいずれか一項において、
前記第２のバインダーは、スチレンモノマーまたはブタジエンモノマーを有することを特徴とする電極。
【請求項６】
請求項１乃至請求項５のいずれか一項において、
前記活物質は黒鉛を有することを特徴とする電極。
【請求項７】
請求項１乃至請求項６のいずれか一項に記載の電極と、第２の電極と、を有する蓄電装置であって、
前記電極は、正極または負極の一方として動作させることができる機能を有し、
前記第２の電極は、正極または負極の他方として動作させることができる機能を有することを特徴とする蓄電装置。
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
電池パックを備える産業車両であって、
前記電池パックの近傍に配置される発熱機器を備え、
前記電池パックは、電池モジュールと、耐熱性を有する耐熱部材と、を筐体内に収容し、
前記筐体内では、前記耐熱部材が前記電池モジュールよりも前記発熱機器に近接する箇所に配置され、
前記発熱機器は前記筐体の外部に設けられている、産業車両。
【請求項２】
前記発熱機器は、モータである、請求項１に記載の産業車両。
【請求項３】
前記電池モジュールは、前記筐体の壁部に接触した状態で取り付けられている、請求項１又は請求項２に記載の産業車両。
【請求項４】
前記耐熱部材は、前記筐体内での配線部材であり、前記筐体の壁部に対して隙間をあけた状態で取り付けられている、請求項１〜請求項３のいずれか一項に記載の産業車両。
【請求項５】
前記電池パックは、前記産業車両のカウンタウエイトとして機能し、
前記耐熱部材は、ウエイト部材であり、前記筐体の壁部に取り付けられている、請求項１〜請求項４のいずれか一項に記載の産業車両。
【請求項６】
前記電池パックは、前記産業車両のカウンタウエイトとして機能し、
前記耐熱部材として、前記配線部材を前記筐体の壁部に対して隙間をあけた状態で取り付け、且つ、前記耐熱部材としてウエイト部材を前記筐体の壁部に取り付ける、請求項４に記載の産業車両。
【請求項７】
前記筐体内において、前記ウエイト部材は、前記配線部材に比して前記発熱機器に近接する箇所に配置されている、請求項６に記載の産業車両。
【請求項８】
前記耐熱部材であるウエイト部材は、ダミーモジュールとして前記電池モジュールの外形状と略同じ形状に形成される、請求項５〜７のいずれか一項に記載の産業車両。
【請求項９】
電池パックを備える産業車両であって、
前記電池パックの近傍に配置される発熱機器を備え、
前記電池パックは、電池モジュールを筐体内に収容し、
前記産業車両は、所定温度以下の低温環境で使用され、
前記筐体内では、前記電池モジュールが前記筐体内に収容される前記電池モジュール以外の部材よりも前記発熱機器に近接する箇所に配置され、
前記発熱機器は前記筐体の外部に設けられている、産業車両。
【手続補正書】
【提出日】平成30年2月6日(2018.2.6)
【手続補正１】
【補正対象書類名】特許請求の範囲
【補正対象項目名】請求項１
【補正方法】変更
【補正の内容】
【請求項１】
印刷ジョブに基づいて記録媒体に画像を記録する記録手段を制御する記録制御装置であって、
印刷ジョブを受信する受信手段と、
前記受信手段により受信された印刷ジョブが認証処理を必要とする認証印刷ジョブであり、かつ、前記記録制御装置の周囲に前記認証印刷ジョブの認証処理の実行者以外の他人がいる場合、印刷実行又は印刷保留を受け付ける選択画面を表示する表示制御手段と、
前記選択画面に対して入力された指示に従って、前記記録手段による前記認証印刷ジョブの印刷を制御する制御手段とを有することを特徴とする記録制御装置。
【手続補正２】
【補正対象書類名】明細書
【補正対象項目名】０００９
【補正方法】変更
【補正の内容】
【０００９】
即ち、印刷ジョブに基づいて記録媒体に画像を記録する記録手段を制御する記録制御装置であって、印刷ジョブを受信する受信手段と、前記受信手段により受信された印刷ジョブが認証処理を必要とする認証印刷ジョブであり、かつ、前記記録制御装置の周囲に前記認証印刷ジョブの認証処理の実行者以外の他人がいる場合、印刷実行又は印刷保留を受け付ける選択画面を表示する表示制御手段と、前記選択画面に対して入力された指示に従って、前記記録手段による前記認証印刷ジョブの印刷を制御する制御手段とを有することを特徴とする。
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
ポリエステルフィルム（Ａ）、粘着剤層（Ｘ）、ポリエステルフィルム（Ｂ）を備え、
前記ポリエステルフィルム（Ａ）および前記ポリエステルフィルム（Ｂ）は、それぞれ基材または剥離性フィルムのいずれかであり、
前記粘着剤層（Ｘ）のゲル分率が５０％以上である、検査チップ用粘着フィルム。
【請求項２】
ポリエステルフィルム（Ａ）、粘着剤層（Ｘ）、ポリエステルフィルム（Ｃ）、粘着剤層（Ｙ）、ポリエステルフィルム（Ｂ）を備え、
前記ポリエステルフィルム（Ａ）および前記ポリエステルフィルム（Ｂ）は、それぞれ基材または剥離性フィルムのいずれかであり、
前記粘着剤層（Ｘ）のゲル分率が５０％以上である、検査チップ用粘着フィルム。
【請求項３】
前記粘着剤層（Ｘ）が、粘着性樹脂とイソシアネート硬化剤とを含むことを特徴とする請求項１または２項に記載の検査チップ用粘着フィルム。
【請求項４】
前記ポリエステルフィルム（Ａ）面から測定した反発パラメーターが０．０５〜１．５Ｎである、請求項１〜３いずれか１項に記載の検査チップ用粘着フィルム。
【請求項５】
請求項１〜４いずれか１項に記載の検査チップ用粘着フィルムを用いて形成してなる流路を備えた、検査チップ。
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
遊技媒体を用いた遊技が行われることによって、所定の遊技利益を付与可能な遊技機において、
側方から光が入射されることによって所定の絵柄が表出する導光領域が面部に形成された導光板と、
前記導光板に光を入射可能な複数の発光部と、を備え、
前記導光板は、互いに異なる絵柄を表出することが可能な複数の導光領域を有し、
前記複数の導光領域として、前記複数の発光部のうち第１発光部から前記導光板に光が入射されて第１絵柄を表出する第１導光領域と、  前記複数の発光部のうち第２発光部から前記導光板に光が入射されて第２絵柄を表出する第２導光領域と、を有することを特徴とする遊技機。
【手続補正２】
【補正対象書類名】明細書
【補正対象項目名】０００５
【補正方法】変更
【補正の内容】
【０００５】
しかしながら、従来の導光板においては、光が入射されるか否かによって、その導光板の領域の全体に絵柄を表出させるか表出させないかだけであり、従来の導光板を用いた演出が行われるだけでは、その演出効果は限定的となり、遊技興趣が高まらないおそれがあった。
【手続補正３】
【補正対象書類名】明細書
【補正対象項目名】０００７
【補正方法】変更
【補正の内容】
【０００７】
本願発明は、
遊技媒体を用いた遊技が行われることによって、所定の遊技利益を付与可能な遊技機において、
側方から光が入射されることによって所定の絵柄が表出する導光領域が面部に形成された導光板と、
前記導光板に光を入射可能な複数の発光部と、を備え、
前記導光板は、互いに異なる絵柄を表出することが可能な複数の導光領域を有し、
前記複数の導光領域として、前記複数の発光部のうち第１発光部から前記導光板に光が入射されて第１絵柄を表出する第１導光領域と、  前記複数の発光部のうち第２発光部から前記導光板に光が入射されて第２絵柄を表出する第２導光領域と、を有する
ことを特徴とする。
また、本発明に関連する関連発明として以下の構成を参考として開示する。
遊技媒体を用いた遊技が行われることによって、所定の遊技利益を付与可能な遊技機において、
側方から光が入射されることによって前面に所定の絵柄を表出させる導光板と、
該導光板の側方に光を入射可能な入射手段と、を備え、
前記導光板は、各々が絵柄を表出することが可能な複数の導光領域を有し、
前記複数の導光領域のうち所定の導光領域に対して前記入射手段から光が入射される場合において、前記所定の導光領域とは異なる他の導光領域に絵柄が表出されることを阻止する導光阻止手段を備えることを特徴とする。
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
遊技媒体を用いた遊技が行われることによって、所定の遊技利益を付与可能な遊技機において、
側方から光が入射されることによって所定の絵柄が表出する導光領域が面部に形成された複数の導光板と、
前記複数の導光板毎に対応して設けられ、対応する導光板に光を入射可能な複数の発光部と、を備え、
前記導光板は、互いに異なる絵柄を表出することが可能な複数の導光領域を有し、
前記複数の導光板のうちの所定の導光板と他の導光板とで、異なる入射態様で光が入射されるように構成されてなることを特徴とする遊技機。
【手続補正２】
【補正対象書類名】明細書
【補正対象項目名】０００７
【補正方法】変更
【補正の内容】
【０００７】
本願発明は、
遊技媒体を用いた遊技が行われることによって、所定の遊技利益を付与可能な遊技機において、
側方から光が入射されることによって所定の絵柄が表出する導光領域が面部に形成された複数の導光板と、
前記複数の導光板毎に対応して設けられ、対応する導光板に光を入射可能な複数の発光部と、を備え、
前記導光板は、互いに異なる絵柄を表出することが可能な複数の導光領域を有し、
前記複数の導光板のうちの所定の導光板と他の導光板とで、異なる入射態様で光が入射されるように構成されてなる
ことを特徴とする。
また、本発明に関連する関連発明として以下の構成を参考として開示する。
遊技媒体を用いた遊技が行われることによって、所定の遊技利益を付与可能な遊技機において、
側方から光が入射されることによって前面に所定の絵柄を表出させる複数の導光板と、
該複数の導光板の各々に対応して設けられ、各々の導光板の側方に光を入射可能な複数の入射手段と、
前記複数の導光板のうち所定の導光板に表出される絵柄を他の導光板に表出される絵柄よりも鮮明とするように、前記所定の導光板に対する光の入射態様を調整する入射態様調整手段と、を備えることを特徴とする。
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
浮体の側面と底面との角部に、基端を前記角部から隙間を開けて配置され、先端寄りを前記浮体の側面の外側に向けて突出させた状態で使用される板部と、
前記浮体に結合され前記板部を支持する支持部と、を有し、
前記板部の上向き面は、波浪の押し波によって前記側面の外方から前記側面に進入しようとする水流を集めて前記隙間に向けて案内する案内面として機能し、
前記板部の下向き面は、波浪の引き波によって前記底面から前記外方へ向けて進出しようとする水流を阻止する抵抗面として機能し、
前記支持部は、前記板部を、使用位置と、前記浮体の前記角部の近傍に形成された凹所に格納した格納位置との間で移動させる可動機構を有し、
前記可動機構は、前記板部と前記凹所の壁部との間に揺動自在に介装されたリンク部材と、前記板部と前記凹所の壁部との間に前記リンク部材と並設された伸縮アクチュエータと、を有することを特徴とする、動揺低減装置。
【請求項２】
前記板部は、前記格納位置において、前記凹所の形成されている周囲の格納箇所の前記浮体の外面形状に沿う形状の外面を有していることを特徴とする、請求項１記載の動揺低減装置。
【請求項３】
前記板部は、平板状であって、前記使用位置において、水平に向いた状態で使用され、前記浮体の外面形状が平面状に形成された箇所に前記格納箇所が配置されていることを特徴とする、請求項１又は２記載の動揺低減装置。
【請求項４】
前記板部は、平板状であって、前記使用位置において、先端寄りを前記浮体の側面の外側及び下方に向けて傾斜させた状態で使用され、前記浮体の外面形状が平面状に形成された箇所に前記格納箇所が配置されていることを特徴とする、請求項１又は２記載の動揺低減装置。
【請求項５】
前記板部は、前記使用位置において、前記角部の近傍から前記浮体の側面の外側の斜め下方に延びた傾斜部と、前記傾斜部から屈曲し鉛直下方に延びた鉛直部とを有する屈曲形状に形成され、前記浮体の屈曲形状である前記角部に前記格納箇所が配置されていることを特徴とする、請求項１又は２記載の動揺低減装置。
【請求項６】
前記板部の基部と前記角部との前記隙間の大きさは、前記板部の上向き面により案内され前記隙間から前記底面に進入した水流が、前記底面の前記角部の近傍領域で高速層流を形成するように小さく設定されていることを特徴とする、請求項１〜５の何れか１項に記載の動揺低減装置。
【請求項７】
前記板部は、前記浮体の前記側面の全長に亘って設置されていることを特徴とする、請求項１〜６の何れか１項に記載の動揺低減装置。
【請求項８】
側面と底面との角部を有し、
前記角部の近傍に、請求項１〜７の何れか１項に記載の動揺低減装置を装備されていることを特徴とする、浮体。
【請求項９】
前記動揺低減装置が、前記浮体の両側の前記側面にそれぞれ設置されていることを特徴とする、請求項８記載の浮体。
【手続補正書】
【提出日】平成30年9月6日(2018.9.6)
【手続補正１】
【補正対象書類名】特許請求の範囲
【補正対象項目名】全文
【補正方法】変更
【補正の内容】
【特許請求の範囲】
【請求項１】
溶接システムにおいて、前記システムが
出力電流波形を生成し、前記出力電流波形を電極に供給する電源と、
前記電極を被加工物へと前進させるワイヤ送給装置と、
前記出力電流波形が、バックグラウンド電流レベルを供給するバックグラウンド電流部分と、ピーク電流レベルを供給するピーク電流部分と、減少するテールアウト電流レベルを供給するテールアウト電流部分とを有する基本サイクルを含むように前記電源を制御する制御装置であって、夫々のピーク電流部分が前記バックグラウンド電流部分によって分離されており、前記制御装置が、前記電源を制御するのと同時に、前記電極の送給速度および送給方向のうちの少なくとも１つが操作されるように前記ワイヤ送給装置を制御する制御装置と、
を備え、
前記制御装置が、ピーク電流部分の合間の夫々のバックグラウンド電流部分の期間中に、前記電源が複数の電流パルスを発生させるように、前記電源を制御し、
前記バックグラウンド電流部分の期間中の前記複数の電流パルスが、前記バックグラウンド電流レベルと前記ピーク電流レベルとの中間の電流レベルを有し、かつ、
任意の１つのバックグラウンド電流部分における前記複数の電流パルスの夫々に対する電流レベルが同一であることを特徴とするシステム。
【請求項２】
請求項１に記載のシステムにおいて、
前記制御装置が、前記バックグラウンド電流部分と前記ピーク電流部分との間にピンチ電流部分が生成されるように、かつ、前記バックグラウンド電流レベルよりも低く前記波形中に低電流レベルが生成されるように、前記電源を制御し、
前記送給速度が、前記バックグラウンド電流部分の期間中に設定されるバックグラウンド速度よりも下に低減され、前記送給速度の低減が、前記低電流レベル、前記ピンチ電流部分、および前記ピーク電流部分のうちの少なくとも１つのうちの少なくとも一部分中に発生することを特徴とするシステム。
【請求項３】
請求項１に記載のシステムにおいて、
前記制御装置が、前記バックグラウンド電流部分と前記ピーク電流部分との間にピンチ電流部分が生成されるように、かつ、前記バックグラウンド電流レベルよりも低く前記波形中に低電流レベルが生成されるように、前記電源を制御し、
前記低電流レベル、前記ピンチ電流部分、および前記ピーク電流部分のうちの少なくとも１つのうちの少なくとも一部分中に、前記送給方向が反転されることを特徴とするシステム。
【請求項４】
請求項２に記載のシステムにおいて、前記送給速度がゼロに低減されることを特徴とするシステム。
【請求項５】
請求項２に記載のシステムにおいて、前記送給速度が、ゼロよりは大きく前記バックグラウンド速度よりは小さい値に低減されることを特徴とするシステム。
【請求項６】
請求項２に記載のシステムにおいて、前記送給速度が、前記低電流レベルおよび前記ピンチ電流部分のうちの少なくとも１つの始動と同期して低減されることを特徴とするシステム。
【請求項７】
請求項６に記載のシステムにおいて、前記ピーク電流部分の始動と同期して、前記送給速度が前記バックグラウンド速度へと増加されることを特徴とするシステム。
【請求項８】
請求項２に記載のシステムにおいて、前記送給速度が、前記低電流レベルまたは前記ピンチ電流部分の始動後の第１の所定の期間で低減されることを特徴とするシステム。
【請求項９】
請求項８に記載のシステムにおいて、前記ピーク電流部分の始動後の第２の所定の期間後に、前記送給速度が前記バックグラウンド速度へと増加されることを特徴とするシステム。
【請求項１０】
請求項３に記載のシステムにおいて、前記送給方向の反転が、前記低電流レベルまたは前記ピンチ電流部分の始動と同期して始動されることを特徴とするシステム。
【請求項１１】
請求項１０に記載のシステムにおいて、前記送給方向の順方向への変化が、前記ピーク電流部分の始動と同期して始動されることを特徴とするシステム。
【請求項１２】
請求項３に記載のシステムにおいて、前記送給方向の反転が、前記低電流レベルまたは前記ピンチ電流部分の始動後の第１の所定の期間で始動されることを特徴とするシステム。
【請求項１３】
請求項１２に記載のシステムにおいて、前記送給方向の順方向への変化が、前記ピーク電流部分の始動後の第２の所定の期間後に始動されることを特徴とするシステム。
【手続補正書】
【提出日】平成30年2月6日(2018.2.6)
【手続補正１】
【補正対象書類名】特許請求の範囲
【補正対象項目名】請求項１
【補正方法】変更
【補正の内容】
【請求項１】
円板状部材と、
前記円板状部材の外周面に配置される砥石層と、
を備える砥石車であって、
前記砥石層は、前記円板状部材の周方向に分割される複数の周方向分割砥石チップを備え、
前記周方向分割砥石チップは、それぞれ性状の異なる第一砥石チップ及び第二砥石チップが前記砥石車の軸線方向に配列されて形成され、
前記第一砥石チップと前記第二砥石チップとの境界部の形状は、前記軸線方向における変位成分を有し、前記軸線方向で異なる位置を接続する形状であり、前記軸線方向において前記境界部が存在する範囲において、前記第一砥石チップおよび前記第二砥石チップの両方を備える、砥石車。
【手続補正２】
【補正対象書類名】明細書
【補正対象項目名】０００７
【補正方法】変更
【補正の内容】
【０００７】
本発明に係る砥石車は、円板状部材と、前記円板状部材の外周面に配置される砥石層と、
を備える砥石車であって、前記砥石層は、前記円板状部材の周方向に分割される複数の周方向分割砥石チップを備え、前記周方向分割砥石チップは、それぞれ性状の異なる第一砥石チップ及び第二砥石チップが前記砥石車の軸線方向に配列されて形成され、前記第一砥石チップと前記第二砥石チップとの境界部の形状は、前記軸線方向における変位成分を有し、前記軸線方向で異なる位置を接続する形状であり、前記軸線方向において前記境界部が存在する範囲において、前記第一砥石チップおよび前記第二砥石チップの両方を備える。
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態に制御されることを示唆する複数段階の演出態様がある所定演出を実行する所定演出実行手段と、
前記所定演出が実行されているときに、次の段階の演出態様に移行するか否かを示唆する特定演出を実行する特定演出実行手段と、を備え、
前記所定演出の複数段階の演出態様には、前記有利状態に制御されることが確定する有利状態確定段階の演出態様が含まれ、
前記特定演出の演出態様には、前記所定演出が次の段階の演出態様に移行することを示す第１態様と、前記所定演出が次の段階の演出態様に移行しないことを示す第２態様と、があり、
前記特定演出実行手段は、
所定段階以上前記有利状態確定段階未満の前記所定演出が実行されているときに前記特定演出を実行する場合には、前記第２態様の前記特定演出を実行せず、
所定段階未満の前記所定演出が実行されているときに前記特定演出を実行する場合には、前記所定演出がいずれの段階であるかに応じて異なる割合で前記第２態様の前記特定演出を実行する
ことを特徴とする遊技機。
【手続補正２】
【補正対象書類名】明細書
【補正対象項目名】０００４
【補正方法】変更
【補正の内容】
【０００４】
引用文献１に記載された遊技機では、遊技の興趣を十分に向上させることができないおそれがあった。
【手続補正３】
【補正対象書類名】明細書
【補正対象項目名】０００６
【補正方法】変更
【補正の内容】
【０００６】
（Ａ）上記目的を達成するため、本願発明に係る遊技機は、
可変表示を行い、遊技者にとって有利な有利状態（例えば大当り遊技状態）に制御可能な遊技機（例えばパチンコ遊技機１）であって、
前記有利状態に制御されることを示唆する複数段階の演出態様がある所定演出を実行する所定演出実行手段と、
前記所定演出が実行されているときに、次の段階の演出態様に移行するか否かを示唆する特定演出を実行する特定演出実行手段と、を備え、
前記所定演出の複数段階の演出態様には、前記有利状態に制御されることが確定する有利状態確定段階の演出態様が含まれ、
前記特定演出の演出態様には、前記所定演出が次の段階の演出態様に移行することを示す第１態様と、前記所定演出が次の段階の演出態様に移行しないことを示す第２態様と、があり、
前記特定演出実行手段は、
所定段階以上前記有利状態確定段階未満の前記所定演出が実行されているときに前記特定演出を実行する場合には、前記第２態様の前記特定演出を実行せず、
所定段階未満の前記所定演出が実行されているときに前記特定演出を実行する場合には、前記所定演出がいずれの段階であるかに応じて異なる割合で前記第２態様の前記特定演出を実行することを特徴とする。
このような構成によれば、遊技の興趣が向上する。
（１）上記目的を達成するため、他の遊技機は、
可変表示を行い、遊技者にとって有利な有利状態（例えば大当り遊技状態）に制御可能な遊技機（例えばパチンコ遊技機１）であって、
未だ開始されていない可変表示を保留情報として記憶する保留記憶手段（例えば第１特図保留記憶部、第２特図保留記憶部）と、
前記保留記憶手段に記憶されている前記保留情報に対応した保留表示を行う保留表示手段（例えば第１保留表示部５ＨＬ、第２保留表示部５ＨＲ）と、を備え、
前記保留表示の表示態様には、通常態様と、当該通常態様とは異なる特殊態様（例えば「白」）と、前記通常態様及び前記特殊態様とは異なる態様であって前記有利状態になる割合を予告する複数段階ある予告態様（例えば「青」、「緑」、「赤」）と、があり、
前記保留表示の表示態様を、前記通常態様または前記特殊態様から前記複数段階ある予告態様のいずれかに変化可能な態様変化手段（例えばステップＳ５０３における決定に基づいてステップＳ５１３、Ｓ５１６を実行する演出制御用ＣＰＵ１２０）をさらに備え、
前記通常態様から前記予告態様に変化するときの方が、前記特殊態様から前記予告態様に変化するときよりも、高い段階の前記予告態様に変化しやすい（例えば図２０に示す表示態様変化パターン決定テーブルにおいて入賞時の表示態様が「通常態様」である場合には、「白」（特殊態様）である場合よりも、２段階変化する割合が高くなっている）ことを特徴とする。
このような構成によれば、意外性のある演出が可能となり、遊技の興趣が向上する。
【手続補正書】
【提出日】平成30年10月28日(2018.10.28)
【手続補正１】
【補正対象書類名】特許請求の範囲
【補正対象項目名】全文
【補正方法】変更
【補正の内容】
【特許請求の範囲】
【請求項１】
始動条件の成立を契機に、所定の遊技情報を取得する取得手段と、
前記取得手段により取得された遊技情報に基づき、当り遊技を発生させる当りに関する抽選を行う抽選手段と、
遊技図柄の変動表示動作を行い、当該遊技図柄の停止表示態様により前記抽選手段による抽選結果を表示する図柄遊技表示手段と、
前記抽選手段による抽選結果に基づき、複数種類の変動パターンのうちからいずれかを決定する変動パターン決定手段と、
前記変動パターン決定手段により決定された変動パターンに基づき、前記図柄遊技表示手段における前記遊技図柄の変動表示動作を制御する図柄表示制御手段と、
前記当り遊技の終了後、通常遊技状態とは異なる特典遊技状態に移行制御する遊技状態移行制御手段と、
所定の終了条件の下、前記特典遊技状態を終了させる終了制御手段と、
前記変動パターン決定手段により決定された変動パターンに関連する演出を実行する演出手段と、
前記演出手段に対する演出を実行制御する演出制御手段と、を備え、
前記図柄遊技表示手段に特定の図柄表示態様が停止表示された後、前記当り遊技を実行可能に構成された遊技機であって、
前記当りには、第１の当りと、当該第の１当りよりも有利度合が低い第２の当りとが含まれ、
前記演出制御手段は、
前記変動パターン決定手段により決定された変動パターンが特定の変動パターンである場合、前記特典遊技状態の終了を示唆しうる特殊演出を実行可能に構成された特殊演出制御手段を含み、
前記特定の変動パターンには、
前記抽選手段による抽選結果が前記第１の当りに係る第１の特定の当り変動パターンと、
前記抽選手段による抽選結果が前記第２の当りに係る第２の特定の当り変動パターンと、
前記抽選手段による抽選結果が当りでないハズレに係る特定のハズレ変動パターンとが含まれ、
前記特殊演出には、
前記第１の特定の当り変動パターンの場合に実行される第１の特殊演出と、
前記第２の特定の当り変動パターンの場合に実行される第２の特殊演出と、
前記特定のハズレ変動パターンの場合に実行される第３の特殊演出とが含まれ、
前記第１の特殊演出、前記第２の特殊演出および前記第３の特殊演出は、
少なくとも特定の遊技情報を報知するリザルト演出を実行する演出態様として定められており、
前記第１の特殊演出に係るリザルト演出の演出時間幅と、前記第２の特殊演出に係るリザルト演出と、前記第３の特殊演出に係るリザルト演出の演出時間幅とが同一または略同一に定められている、
ことを特徴とする遊技機。
【手続補正書】
【提出日】平成30年3月15日(2018.3.15)
【手続補正１】
【補正対象書類名】特許請求の範囲
【補正対象項目名】請求項１２
【補正方法】変更
【補正の内容】
【請求項１２】
複数のノズルを有するインクジェットヘッドを備えた画像記録部によって表面に画像が記録された記録メディアから前記インクジェットヘッドのノズルの吐出曲がり量と画像不良を検出する画像不良検出機能と、
前記画像不良が検出された場合に、前記記録メディアに画像不良の存在を示すスタンプをスタンパー装置によって付与するスタンプ機能であって、前記ノズルの吐出曲がり量の大きさに応じて、前記スタンパー装置によるスタンプの付与の態様を異ならせるスタンプ機能と、
をコンピュータに実現させる印刷装置の制御プログラム。
【手続補正２】
【補正対象書類名】明細書
【補正対象項目名】００２６
【補正方法】変更
【補正の内容】
【００２６】
本発明の第１２の態様に係る印刷装置制御プログラムは、複数のノズルを有するインクジェットヘッドを備えた画像記録部によって表面に画像が記録された記録メディアからインクジェットヘッドのノズルの吐出曲がり量と画像不良を検出する画像不良検出機能と、画像不良が検出された場合に、記録メディアに画像不良の存在を示すスタンプをスタンパー装置によって付与するスタンプ機能であって、ノズルの吐出曲がり量の大きさに応じて、スタンパー装置によるスタンプの付与の態様を異ならせるスタンプ機能とをコンピュータに実現させる。
【手続補正３】
【補正対象書類名】明細書
【補正対象項目名】０２００
【補正方法】変更
【補正の内容】
【０２００】
［スタンプ押印処理の別の実施形態］
次に、スタンプ押印処理の別の実施形態について、図１０及び図１１を参照して説明する。なお、上記の実施形態と同一又は類似する構成については、同一の符号を付して説明を省略する。
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
作業空間内に配置されたワークに対して作業を行うツールが装着された作業ユニットにおいて、
前記ツールを回転させるツール回転機構と、
前記ツール回転機構を第１の軸周りに回動させる第１回動機構と、
前記ツール回転機構及び前記第１回動機構を前記第１の軸と直交する第２の軸周りに回動させる第２回動機構と、
を備え、
前記第１回動機構は、前記第２回動機構に接続されるステータと、該ステータの内周側に前記第１の軸を中心軸として回転可能に配置された中空軸状のロータと、を有するモータと、
前記ロータの一方端部に連結される一方アーム部および前記ロータの他方端部に連結される他方アーム部と、前記一方アーム部及び他方アーム部を連結するアーム連結部と、を含む第２回転体と、を備え、
前記ツール回転機構は、前記第２回転体に設けられることを特徴とする作業ユニット。
【請求項２】
前記ツール回転機構は、前記ロータに接続される本体部と、前記本体部に装着され、前記ツールを回転させる回転体と、該回転体に回転駆動力を伝達する駆動伝達部とを備えることを特徴とする請求項１に記載の作業ユニット。
【請求項３】
前記駆動伝達部は、前記回転駆動力を供給する回転駆動源と、
前記回転駆動源からの前記回転駆動力を前記回転体へ伝達する伝達機構と、
を備え、
前記回転駆動源の駆動回転軸は、前記ツールの回転軸と平行に、かつ、前記ツールの回転軸の径方向にオフセットして設けられたことを特徴とする請求項２に記載の作業ユニット。
【請求項４】
前記ツールの回転軸の延長線が、前記第１回動機構の前記第１の軸と前記第２回動機構の前記第２の軸の延長線との交点を通ることを特徴とする請求項３に記載の作業ユニット。
【請求項５】
前記伝達機構は、ベルト伝達機構であることを特徴とする請求項３又は４に記載の作業ユニット。
【請求項６】
前記一方アーム部は、前記ツール回転機構に接続された配線が、前記ロータの中空部分を通って配線可能な連通部を備えることを特徴とする請求項１に記載の作業ユニット。
【請求項７】
前記第２回動機構は、
前記第１回動機構を支持する回転台と、
前記回転台を前記第２の軸周りに回転させる第２回転駆動源と、
前記第２回転駆動源を支持する支持体と、
を備えることを特徴とする請求項６に記載の作業ユニット。
【請求項８】
前記第２回動機構は、前記配線が前記支持体から前記第２回転駆動源の外周側を通って前記回転台に配線され、収容される収容部を備えたことを特徴とする請求項７に記載の作業ユニット。
【請求項９】
請求項１から８のいずれか一項に記載の作業ユニットと、
前記作業ユニットを前記作業空間内に設定された所定の平面内で移動させる平面移動機構と、
前記作業ユニットを前記作業空間内に設定された前記所定の平面と直交する垂直面内で移動させる垂直移動機構と、
を備えたことを特徴とする作業装置。
【請求項１０】
前記作業空間内に配置され、前記ワークを載置保持する載置ユニットを更に備えたことを特徴とする請求項９に記載の作業装置。
【請求項１１】
前記平面移動機構は、前記垂直移動機構の移動をガイドする平面ガイド部を含み、
前記作業装置は、前記作業ユニットを前記作業空間内で移動可能に前記平面ガイド部を支持する支柱部を更に備えることを特徴とする請求項１０に記載の作業装置。
【手続補正２】
【補正対象書類名】明細書
【補正対象項目名】００１１
【補正方法】変更
【補正の内容】
【００１１】
本発明は、作業空間内に配置されたワークに対して作業を行うツールが装着された作業ユニットにおいて、前記ツールを回転させるツール回転機構と、前記ツール回転機構を第１の軸周りに回動させる第１回動機構と、前記ツール回転機構及び前記第１回動機構を前記第１の軸と直交する第２の軸周りに回動させる第２回動機構と、を備え、前記第１回動機構は、前記第２回動機構に接続されるステータと、該ステータの内周側に前記第１の軸を中心軸として回転可能に配置された中空軸状のロータと、を有するモータと、前記ロータの一方端部に連結される一方アーム部および前記ロータの他方端部に連結される他方アーム部と、前記一方アーム部及び他方アーム部を連結するアーム連結部と、を含む第２回転体と、を備え、前記ツール回転機構は、前記第２回転体に設けられることを特徴とする。
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
大当たりの当選可否を判定する判定手段と、
複数設けられた演出ステージにより前記判定結果を示唆または報知する演出実行手段と、
を備え、
前記演出実行手段は、
互いに異なる第１の条件または第２の条件が成立すると、所定期間中の前記演出ステージの移行情報を決定可能であり、該所定期間中、決定した該移行情報にしたがって該演出ステージを変更可能であり、
前記第１の条件が成立して前記移行情報が決定された後、前記所定期間が経過する前に前記第２の条件が成立すると、新たに移行情報を決定可能であることを特徴とする遊技機。
【請求項２】
前記演出実行手段は、
前記第２の条件の成立時、もしくは、該第２の条件の成立後、最初の変動演出の開始時に前記演出ステージを変更することを特徴とする請求項１に記載の遊技機。
【請求項３】
前記演出実行手段は、
前記第１の条件が成立して前記移行情報が決定された後、前記第２の条件が成立した場合、該第２の条件の成立時、もしくは、該第２の条件の成立後、最初の変動演出の開始時に、先に決定されている該移行情報のうち最後に移行する演出ステージに変更することを特徴とする請求項２に記載の遊技機。
【手続補正２】
【補正対象書類名】明細書
【補正対象項目名】０００７
【補正方法】変更
【補正の内容】
【０００７】
上記課題を解決するために、本発明の遊技機は、大当たりの当選可否を判定する判定手段と、複数設けられた演出ステージにより前記判定結果を示唆または報知する演出実行手段と、を備え、前記演出実行手段は、互いに異なる第１の条件または第２の条件が成立すると、所定期間中の前記演出ステージの移行情報を決定可能であり、該所定期間中、決定した該移行情報にしたがって該演出ステージを変更可能であり、前記第１の条件が成立して前記移行情報が決定された後、前記所定期間が経過する前に前記第２の条件が成立すると、新たに移行情報を決定可能であることを特徴とする。
【手続補正３】
【補正対象書類名】明細書
【補正対象項目名】０００８
【補正方法】変更
【補正の内容】
【０００８】
また、前記演出実行手段は、前記第２の条件の成立時、もしくは、該第２の条件の成立後、最初の変動演出の開始時に前記演出ステージを変更するとよい。
【手続補正４】
【補正対象書類名】明細書
【補正対象項目名】０００９
【補正方法】変更
【補正の内容】
【０００９】
また、前記演出実行手段は、前記第１の条件が成立して前記移行情報が決定された後、前記第２の条件が成立した場合、該第２の条件の成立時、もしくは、該第２の条件の成立後、最初の変動演出の開始時に、先に決定されている該移行情報のうち最後に移行する演出ステージに変更するとよい。
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
有利条件の成立に基づいて有利状態に制御可能な遊技機であって、
閉状態から遊技媒体が入賞可能な開状態へと変化可能であって、入賞した遊技媒体が通過可能な特定領域部を有する第１可変入賞装置と、
閉状態から遊技媒体が入賞可能な開状態へと変化可能であって、入賞した遊技媒体が通過可能な継続領域部を有する第２可変入賞装置と、
前記有利状態中の第１期間において前記第１可変入賞装置を開状態に制御し、当該有利状態中の前記第１期間の後の第２期間において前記第２可変入賞装置を開状態に制御する可変入賞装置制御手段と、
前記第１期間において前記特定領域部を遊技媒体が通過したことに基づいて、遊技者にとって有利な特別状態に制御する特別状態制御手段と、を備え、
前記第２期間における所定期間において前記継続領域部を遊技媒体が通過したことに基づいて、前記有利状態の制御を継続させ、
前記有利状態のうち有利度合の低い所定有利状態において、前記第１可変入賞装置を、前記有利状態のうち有利度合の高い特定有利状態よりも遊技媒体が進入困難または進入不可能な態様の開状態に制御する、
ことを特徴とする遊技機。
【請求項２】
前記第１可変入賞装置の開閉パターンを複数備える、
ことを特徴とする請求項１に記載の遊技機。
【手続補正２】
【補正対象書類名】明細書
【補正対象項目名】０００７
【補正方法】変更
【補正の内容】
【０００７】
（１）上記目的を達成するため、本発明の遊技機は、
有利条件の成立に基づいて（例えば、ステップＳ２３９の処理で「大当り」と決定されたときなど）有利状態（例えば、大当り遊技状態など）に制御可能な遊技機（例えば、パチンコ遊技機１など）であって、
閉状態から遊技媒体が入賞可能な開状態へと変化可能であって、入賞した遊技媒体が通過可能な特定領域部（例えば、特定領域スイッチ２４の設置箇所など）を有する第１可変入賞装置（例えば、特別可変入賞球装置７Ｂなど）と、
閉状態から遊技媒体が入賞可能な開状態へと変化可能であって、入賞した遊技媒体が通過可能な継続領域部（例えば、継続領域スイッチ２６の設置箇所など）を有する第２可変入賞装置（例えば、特別可変入賞球装置７Ａなど）と、
前記有利状態中の第１期間（例えば、第１、第２ラウンドなど）において前記第１可変入賞装置を開状態に制御し、当該有利状態中の前記第１期間の後の第２期間（例えば、第３ラウンド以降のラウンドなど）において前記第２可変入賞装置を開状態に制御する可変入賞装置制御手段（例えば、ステップＳ１１４〜Ｓ１１６の処理を実行するＣＰＵ１０３など）と、
前記第１期間において前記特定領域部を遊技媒体が通過したことに基づいて、遊技者にとって有利な特別状態（例えば、確変状態など）に制御する特別状態制御手段（例えば、ステップＳ３０７、Ｓ３０８の処理を実行するＣＰＵ１０３など）と、を備え、
前記第２期間における所定期間において前記継続領域部を遊技媒体が通過したことに基づいて、前記有利状態の制御を継続させ（例えば、ステップＳ３１０〜Ｓ３１３、Ｓ３３２Ｂ、Ｓ３３２Ｃの処理を実行するＣＰＵ１０３など）、
前記有利状態のうち有利度合の低い所定有利状態（例えば、突確大当り遊技状態、小当り遊技状態など）において、前記第１可変入賞装置を、前記有利状態のうち有利度合の高い特定有利状態よりも遊技媒体が進入困難または進入不可能な態様の開状態に制御する（例えば、第１、第２ラウンドにて特別可変入賞球装置７Ｂの開放上限時間が０．１秒であるなど）、
ことを特徴とする。
上記の構成によれば、公平さを担保できる。また、出球を取らせたくない状況にもかかわらず第２可変入賞装置の開閉が継続してしまうことをないようにすることができる。
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
遊技者による遊技が可能な遊技機であって、
非遊技中に特定映像を表示可能な表示手段と、
遊技者による第１動作が検出されたときに第１報知を前記表示手段において実行する一方、遊技者による第２動作が検出されたときに第２報知を前記表示手段において実行する表示実行手段とを備え、
前記第２報知は、遊技に関する機能を選択可能なメニュー画面の表示であり、
前記表示実行手段は、前記特定映像の表示中に前記第１報知を実行するときには前記特定映像の少なくとも一部を継続させた状態とする一方、前記特定映像の表示中に前記第２報知を実行するときには前記特定映像の表示を終了させる、遊技機。
【手続補正２】
【補正対象書類名】明細書
【補正対象項目名】０００６
【補正方法】変更
【補正の内容】
【０００６】
（１）  遊技者による遊技が可能な遊技機（パチンコ遊技機１等）であって、
非遊技中に特定映像（デモ画面表示等）を表示可能な表示手段（演出表示装置９）と、
遊技者による第１動作（スティックコントローラ１２２の操作等）が検出されたときに第１報知（音量調整表示ＶＬ等）を前記表示手段において実行する一方、遊技者による第２動作（プッシュボタン１２０の操作等）が検出されたときに第２報知（メニュー画面表示等）を前記表示手段において実行する表示実行手段（演出制御用マイクロコンピュータ１００、図１８のＳ４４８，Ｓ４５３，Ｓ４５５等）とを備え、
第２報知は、遊技に関する機能を選択可能なメニュー画面の表示（メニュー画面表示等）であり、
前記表示実行手段は、前記特定映像の表示中に前記第１報知を実行するときには前記特定映像の少なくとも一部を継続させた状態とする（図１５（Ｅ）に示すように、デモ画面表示中に音量調整表示ＶＬを実行するときは、デモ画面表示を継続させたまま音量調整表示ＶＬを行なう等）一方、前記特定映像の表示中に前記第２報知を実行するときには前記特定映像の表示を終了させる（図１５（Ｆ）に示すように、デモ画面表示中にメニュー画面表示を実行するときは、デモ画面表示を終了させてメニュー画面表示に切替える等）。
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
変動表示に対応する特定表示を表示可能な特定表示手段と、
特定表示の表示態様を変化可能な特定表示変化手段と、
特定画像を表示し、遊技者の動作に応じて該特定画像を複数種類あるうちの一の特殊画像に変化させることが可能な画像表示変化手段と、を備え
前記特定表示の表示態様は、前記有利状態に制御される期待度が段階的に異なるように複数種類があり、
前記特定表示変化手段は、
遊技者の動作に応じて特定表示の表示態様を変化させることが可能であり、
特定表示の表示態様を一の態様に変化させた後に、特定表示の表示態様を該一の態様とは異なる他の態様に変化させることが可能であり、
遊技者の動作に応じて前記画像表示変化手段で表示する特定画像が前記特殊画像に変化した場合に、表示された前記特殊画像に応じて変化段階が異なるように、特定表示の表示態様を変化させる、遊技機。
【手続補正２】
【補正対象書類名】明細書
【補正対象項目名】０００７
【補正方法】変更
【補正の内容】
【０００７】
（１）変動表示（特別図柄および演出図柄の変動表示等。）を行ない、遊技者にとって有利な有利状態（大当り遊技状態等。）に制御可能な遊技機（パチンコ遊技機１等。）であって、
変動表示に対応する特定表示（図１５の保留画像Ｈ、アクティブ画像ＡＨ等。）を表示可能な特定表示手段（演出表示装置９、保留表示エリア１８ｃ、アクティブ表示エリアＡＨＡ等。）と、
特定表示の表示態様を変化可能な特定表示変化手段（演出制御用マイクロコンピュータ１００、図１４のＳ８０１，Ｓ８０２、図２１のＳ６３４，Ｓ６３５等。）と、特定画像（図２３（Ｂ）のアクティブ画像ＡＨ内のルーレット画像等。）を表示し、遊技者の動作（ボタン操作等。）に応じて該特定画像を複数種類あるうちの一の特殊画像（図２３（Ｃ）のアクティブ画像ＡＨ内の「ＡＤＶＡＮＴＡＧＥ」の文字表示、「ＣＨＡＮＣＥ」の文字表示等。）に変化させることが可能な画像表示変化手段と、を備え、
前記特定表示変化手段は、
遊技者の動作（ボタン操作等。）に応じて特定表示の表示態様を変化させることが可能（図１５（Ａ）〜（Ｄ）のように、ボタン操作に応じてアクティブ画像ＡＨの表示態様を変化させる等。）であり、
特定表示の表示態様を一の態様に変化させた後（図１５（Ｂ）のように、アクティブ画像ＡＨの表示態様を白色から青色に変化させる等。）に、特定表示の表示態様を該一の態様とは異なる他の態様に変化させること（図１５（Ｄ）のように、アクティブ画像ＡＨの表示態様を青色から赤色に変化させる等。）が可能であり、遊技者の動作に応じて前記画像表示変化手段で表示する特定画像が前記特殊画像に変化した場合に、表示された前記特殊画像に応じて変化段階が異なるように、特定表示の表示態様を変化させる（図２３（Ｃ），（Ｄ）のように、「ＣＨＡＮＣＥ」の文字表示の特殊画像を表示した上で、アクティブ画像ＡＨの表示態様を白色から赤色に変化させる等。）。